(57)【要約】【課題】副収納室に収納された被収納物が放出されることを防止する、ランドセルを提供する。【解決手段】ランドセルＲは、子供が背負う背板１から前側に向かって、主収納室２と副収納室３とが連設して形成され、背板１の上端から、主収納室２と副収納室３とを前方下方向に覆う、カブセ蓋６が開閉可能に備えられている。ランドセルＲの主収納室２の左右の両側から副収納室３の前側に亘って、副収納室３を緊締する、緊締ベルト体５が備えられ、緊締ベルト体５に、緊締ベルト体５の長さを調節可能にする第１のダイヤル式巻き上げ機構５１が備えられている。【選択図】図２
0003217756.tif 000002
【実用新案登録請求の範囲】
【請求項１】
子供が背負う背板から前側に向かって、主収納室と副収納室とが連設して形成され、該背板の上端から該主収納室と該副収納室を開閉可能に覆うカブセ蓋が備えられてなるランドセルにおいて、
該主収納室の左右の両側から該副収納室の前側に亘って、緊締ベルト体を備え、
該緊締ベルト体に、該緊締ベルト体の長さを調節可能にする第１のダイヤル式巻き上げ機構が備えられていることを特徴とするランドセル。
【請求項２】
前記カブセ蓋の先端から、該カブセ蓋の長手方向に摺動可能な連結舌片が備えられ、該連結舌片の先端に、該主収納室の底壁部に脱着可能な係止具が備えられ、
該連結舌片は、該カブセ蓋の長手方向に長さ調整が可能な伸縮ベルト体を介して、該カブセ蓋に連結され、
該伸縮ベルト体に、該伸縮ベルト体の長さを調節可能にする第２のダイヤル式巻き上げ機構が備えられていることを特徴とする請求項１に記載のランドセル。
【請求項３】
前記緊締ベルト体は、前記主収納室の左右の両側から前記副収納室の左右端部の前側にかけて帯状ベルト体から構成され、該副収納室の左右端部の前側から前記第１のダイヤル式巻き上げ機構にかけてワイヤー状ベルト体から構成されている、ことを特徴とする請求項１又は２に記載のランドセル。
【考案の詳細な説明】
【技術分野】
【０００１】
本考案は、副収納室に収納された被収納物が放出されることを防止する、ランドセルに関する。
【背景技術】
【０００２】
ランドセルは、子供が背負う背板から前側に向かって、教科書などが収納される主収納室と、筆箱などが収納される副収納室と、小物などが収納される前ポケット部が連設して形成され、背板の上端から主収納室と副収納室と前ポケット部を開閉可能に覆うカブセ蓋が備えられている。カブセ蓋の先端は、係止具によって、ランドセルの底壁部に開閉可能に係止される。
【０００３】
副収納室は、マチ幅が狭く、被収納物の収納に対するあそびが少ないため、衝撃を受けることにより壊れやすいものが優先して収納され、将来的に導入が想定されるタブレット型端末も副収納室に収納されることが想定される。このような場合に、子供が、カブセ蓋の先端の係止具の係止を怠り、お辞儀をした際や前屈みの姿勢をとった際には、副収納室に収納された被収納物が放出されて落下し、破損するおそれがある。
【０００４】
副収納室に収納された被収納物が放出されることを防ぐことができるランドセルとして、従来、下記特許文献１において、主収納室の左右の両側と副収納室の前側に亘って、長さを調節可能な緊締ベルト体を備えるランドセルが知られている。このランドセルは、緊締ベルト体に取り付けられた留金具と緊締ベルト体に設けられた複数の留孔によって緊締ベルト体の長さを調整可能とし、緊締ベルト体を緊締することにより、副収納室のマチ幅を狭くし、副収納室に収納された被収納物が落下することを防ぐものである。
【先行技術文献】
【特許文献】
【０００５】
【特許文献１】実用新案登録第３２１０７２２号公報
【考案の概要】
【考案が解決しようとする課題】
【０００６】
しかしながら、特許文献１に記載の従来のランドセルは、緊締ベルト体に取り付けられた留金具と緊締ベルト体に設けられた複数の留孔によって、緊締ベルト体の長さを調整可能とするものであるものの、使用する子供にとっては、長さの調整が煩雑であるものであった。このため、実際には緊締ベルト体の長さの調整が行われず、つまり、副収納室の奥行幅の調整が行われずに、子供が、カブセ蓋の係止を怠り、お辞儀をした際や前屈みの姿勢をとった際には、副収納室に収納された被収納物が放出されてしまうという課題があった。
【０００７】
本考案は、上述の点に鑑みてなされたものであり、副収納室に収納された被収納物が放出されることを防止する、ランドセルを提供することを目的とする。
【課題を解決するための手段】
【０００８】
本考案に係るランドセルは、子供が背負う背板から前側に向かって、主収納室と副収納室とが連設して形成され、該背板の上端から該主収納室と該副収納室とを開閉可能に覆うカブセ蓋が備えられてなるランドセルにおいて、
該主収納室の左右の両側から該副収納室の前側に亘って、緊締ベルト体を備え、
該緊締ベルト体に、該緊締ベルト体の長さを調節可能にする第１のダイヤル式巻き上げ機構が備えられていることを特徴とする。
【０００９】
本考案に係るランドセルによれば、主収納室の左右の両側から副収納室の前側に亘って、緊締ベルト体を備えているため、緊締ベルト体を緊締することによって、副収納室の奥行幅の調整が可能となる。緊締ベルト体の長さを調節可能にするために、緊締ベルト体に、操作が容易なダイヤル式巻き上げ機構が備えられているため、子供であっても、副収納室の奥行幅の調整を容易にすることができ、収納された被収納物を副収納室に保持することができる。このため、子供が、カブセ蓋の係止を怠り、お辞儀をした際や前屈みの姿勢をとった際であっても、副収納室に収納された被収納物が放出されることを防止することができる。
【００１０】
ここで、本考案に係るランドセルにおいて、前記カブセ蓋の先端から、カブセ蓋の長手方向に摺動可能な連結舌片が備えられ、該連結舌片の先端に、該主収納室の底壁部に脱着可能な係止具が備えられ、
該連結舌片は、該カブセ蓋の長手方向に長さ調整が可能な伸縮ベルト体を介して、該カブセ蓋に連結され、
該伸縮ベルト体に、該伸縮ベルト体の長さを調節可能にする第２のダイヤル式巻き上げ機構が備えられているものとすることができる。
【００１１】
これによれば、連結舌片がカブセ蓋の長手方向に摺動可能であり、係止具を備える連結舌片とカブセ蓋との間に、伸縮ベルト体を備えているため、伸縮ベルト体の長さを調整することによって、カブセ蓋の長手方向に沿った長さである背板の上端から係止具までの長さの調整が可能となる。つまり、カブセ蓋の係止具を、主収納室の底壁部に係止させた後に、カブセ蓋の長さを短く調整することが可能となる。また、伸縮ベルト体の長さを調節可能にするために、伸縮ベルト体に、操作が容易なダイヤル式巻き上げ機構が備えられているため、子供であっても、カブセ蓋の長さを容易に調整することができ、副収納室に対して、カブセ蓋の遊びを少なくすることができる。このため、副収納室に収納された被収納物が放出されることを防止することができる。
【００１２】
また、本考案に係るランドセルにおいて、前記緊締ベルト体は、前記主収納室の左右の両側から前記副収納室の左右端部の前側にかけて帯状ベルト体から構成され、該副収納室の左右端部の前側から前記第１のダイヤル式巻き上げ機構にかけてワイヤー状ベルト体から構成されているものとすることができる。
【００１３】
これによれば、緊締時に、帯状ベルト体によって、副収納室を緊締する力が分散され、副収納室への応力を小さくすることができるため、副収納室の変形を防ぐことができる。また、ダイヤル式巻き上げ機構にかけての緊締ベルト体が、ワイヤー状ベルト体であるため、ダイヤル式巻き上げ機構を小型化することができ、また、ダイヤル式巻き上げ機構周辺の緊締ベルト体のねじれ（キンク）を防ぐことができる。
【考案の効果】
【００１４】
本考案のランドセルによれば、副収納室に収納された被収納物が放出されることを防止することができる。
【図面の簡単な説明】
【００１５】
【図１】本考案の実施形態のランドセルのカブセ蓋を開いた状態の左前方からの斜視図である。
【図２】緊締ベルト体の構成を示す斜視図である。
【図３】カブセ蓋を前方に覆わせた状態の左前方からの斜視図である。
【図４】連結舌片を伸ばした状態を示す部分破断図である。
【考案を実施するための形態】
【００１６】
以下、本考案に係るランドセルを図面に基づいて説明する。図１に示すように、このランドセルＲは、子供が背負う背板１から前側に向かって、主収納室２と、副収納室３と、前ポケット部４が連設して形成され、背板１の上端から延設されて、主収納室２と副収納室３と前ポケット部４を開閉可能に覆う、カブセ蓋６が備えられている。カブセ蓋６の自由端部から伸びる連結舌片６３の先端には、主収納室２の底壁部に脱着可能な係止具８が備えられている。ランドセルＲは、背板１の上部中央の後ろ側に一対のベルト取付金具（図示せず）が備えられ、主収納室２の底壁部の外面に一対の底壁部取付金具（図示せず）が備えられ、ベルト取付金具から底壁部取付金具に亘って、一対の背負いベルト（図示せず）が取付けられている。また、主収納室２の底壁部の外面に、係止具８が係止される係止受具（図示せず）が設けられ、カブセ蓋６が主収納室２等を覆ったとき、カブセ蓋６の連結舌片６３の先端の係止具８が係止受具に脱着可能となる構成になっている。ランドセルＲは、天然皮革、人工皮革及び／又は合成皮革からなる皮革シート地が、切断、折り曲げ、縫着などの加工を施され形成される。ここで、ランドセルＲの前後は、前ポケット部４側が前、背板１側が後ろであり、上下左右は、子供がランドセルＲを背負った際の、子供から見た上下左右と同じである。また、カブセ蓋６の長手方向は、係止具８が備えられている側を自由端部側又は先端部側とし、背板１（主収納室２）側を基部側とする。
【００１７】
主収納室２は、上部に開口した開口部２１を有する筐体からなり、後壁に子供によって背負われる背板１が備えられ、背板１の上端から、ランドセルＲを前方下方向に覆う、カブセ蓋６が備えられている。また、背板１の上部の中央の後ろ側に、背負いベルトが取付けられる一対のベルト取付金具が備えられている。主収納室２の底壁部の外面には、カブセ蓋６の係止具８を係止する係止受具と、背負いベルトが取付けられる一対の底壁部取付金具が備えられている。主収納室２は、ランドセルＲの主となる収納室であり、重量のある教科書やノートなどが収容されるため、剛性を有するように筐体がピアノ線や合成樹脂板などの補強材によって補強されている。
【００１８】
副収納室３は、主収納室２の前壁の外側に連設され、収納口となる上部に開口した開口部３１を有する前後方向に厚みが変更可能（左右のマチ幅が変更可能）な筐体からなり、左右のマチ部３２に、厚みが変更可能となるように、蛇腹形状が形成されている。左右のマチ部３２に、蛇腹形状が形成されているため、左右のマチ部３２は、マチ幅が伸縮可能となり、最大限にマチ幅を伸ばしたときに、８ｃｍのマチ幅を有することができる構成になっている。副収納室３は、マチ部３２の蛇腹形状を畳むことによって、マチ幅を狭めることができ、実施形態のランドセルＲでは、１ｃｍのマチ幅まで狭めることができ、副収納室３のたわみにより、実質的に、マチ幅をゼロまで狭めることができる。
【００１９】
図１，２に示すように、ランドセルＲの主収納室２の左右の両側から副収納室３の前側に亘って、副収納室３を緊締する、緊締ベルト体５が備えられている。緊締ベルト体５は、主収納室２の後端部の左右両側で主収納室２と接合され、副収納室３の上部の前側に亘って配設され、副収納室３の前側の緊締ベルト体５に、緊締ベルト体５の長さを調節可能にするダイヤル式巻き上げ機構５１が備えられている。
【００２０】
緊締ベルト体５は、主収納室２の左右の側壁に締結ギボシ５４によって止め付けられているが、副収納室３の前壁と左右の側壁（マチ部３２）には止め付けられてなく、副収納室３の前側では、副収納室３の二重に構成された前壁の内部に通されている。このため、緊締ベルト体５を緊締することにより、副収納室３のみを緊締することができる構造になっている。
【００２１】
緊締ベルト体５は、図２に示すように、ランドセルＲの主収納室２の左右の両側では、幅広の帯状ベルト体５２であるが、副収納室３の前側のダイヤル式巻き上げ機構５１の左右近傍では、細いワイヤー状ベルト体５３に、変換されている。幅広の帯状ベルト体５２は、幅広で圧力が分散されるため、副収納室３を緊締するには適しているが、ダイヤル式巻き上げ機構５１には、その小型化のため、細いワイヤー状ベルト体５３の方が適しているためである。
【００２２】
ダイヤル式巻き上げ機構５１は、左右両側に設けられた孔からワイヤー状ベルト体５３が延設された本体５１ｂと、本体５１ｂに回転可能に取り付けられたダイヤル５１ａと、を備える。ダイヤル５１ａを回転させることにより、本体５１ｂ内に設けられた軸が回転し、その軸にワイヤー状ベルト体５３を巻き付けるものであり、本体５１ｂは、副収納室３の前壁の内部に配置され、ダイヤル５１ａは、副収納室３の前壁の外側（前側）に配置されている。
【００２３】
ダイヤル式巻き上げ機構５１は、巻き上げ時に、ダイヤル５１ａを巻き上げ方向に回転させ、緊締ベルト体５を短く巻き上げることができるが、ロックを解除しない限り、ダイヤル５１ａを巻き戻し方向に回転させることができない、ロック式の一方方向の調整機能を有する巻き上げ機構である。緊締ベルト体５をダイヤル式巻き上げ機構５１によって巻き上げることにより、副収納室３のマチ幅を狭い方向に調整することができるが、ロックを解除しない限り、マチ幅を拡くすることができない。緊締ベルト体５の緊締に、ダイヤル式巻き上げ機構５１が使用されていることによって、煩雑な従来の留金具により長さ調整を行なうベルト機構とは異なり、子供でもダイヤル５１ａの巻き上げにより長さ調整（マチ幅調整）を容易に行うことができる。
【００２４】
ダイヤル５１ａの巻き上げは、ダイヤル５１ａの径が大きいほど軽い回動力でも行うことができる。ダイヤル式巻き上げ機構５１のダイヤル５１ａは、子供の手でも回しやすいサイズである直径４０ｍｍとした。なお、巻き上げ方向は、螺子などの緊締方向と同じ時計回りである。ダイヤル５１ａの外周部には、握力の弱い子供であっても、容易にダイヤル５１ａを回転させることができるように、滑り止めとなる凹部が形成されている。
【００２５】
ダイヤル式巻き上げ機構５１には、市販品を使用することができ、市販品として、Boa Closure System（Boa Technology Japan 株式会社）Ｌシリーズ、Ｍシリーズ、Ｈシリーズ、Ｓシリーズ、又は、TGFダイヤルシステム（株式会社ジャパーナ）ＴＧＦシリーズ、Ｓ−ＴＧＦシリーズなどを使用することができるが、これらに限定されるものではない。
【００２６】
前ポケット部４は、副収納室３の前側に設けられた、小物などが入れられる収納部である。前ポケット部４は、小物として、自宅の施錠の鍵、非常時に使用する現金などが収納されることがあるため、開口部にファスナーが設けられ、開口部を閉じることができる形態となっている。なお、前ポケット部４は、取り外しが可能な形態や、形状の異なる他の前ポケットへの交換が可能な形態としても良い。
【００２７】
図３，４に示すように、カブセ蓋６は、背板１上端から延設されて主収納室２と副収納室３と前ポケット部４を開閉可能に覆う蓋であり、覆い被せたときに、表側となる表シート６ｃと裏側（内側）となる裏シート（みかえしシート）６ｄの２層のシートから構成されている。カブセ蓋６の先端側の内部には、カブセ蓋６の内部から先端方向に突出可能な延長蓋６４と、カブセ蓋６から先端方向に延長可能な略Ｏ字状の連結舌片６３と、を備え、カブセ蓋６の略中央部には、後述する第２のダイヤル式巻き上げ機構６１が配置（連結）されている。カブセ蓋６の先端側の層構成は、表側から、表シート６ｃ、延長蓋６４、連結舌片６３、裏シート６ｄ、の順で構成されている。
【００２８】
第２のダイヤル式巻き上げ機構６１は、延長蓋６４と連結舌片６３をカブセ蓋６の長手方向に摺動させるものであり、左右両側に設けられた孔から伸縮ベルト体６２が延設された本体６１ｂと、本体６１ｂに回転可能に取り付けられたダイヤル６１ａと、を備える。本体６１ｂはカブセ蓋６の内部に配置され、ダイヤル６１ａはカブセ蓋６の表側に配置されている。第２のダイヤル式巻き上げ機構６１が配置されたカブセ蓋６の内側の左右両側には、伸縮ベルト体６２を貫通させてガイドする筒状のガイド部６ｂが表シート６ｃに固定されて各々備えられている。
【００２９】
延長蓋６４は、収納時にカブセ蓋６の内部にその全体が収納され、カブセ蓋６の先端方向に突出可能であり、左右幅がカブセ蓋６の左右幅よりやや狭く、基部６４ａの左右の両側のそれぞれと中央側に、第２のダイヤル式巻き上げ機構６１から延設された伸縮ベルト体６２を貫通させてガイドする筒状のガイド部６４ｂを３つ備えている。
【００３０】
連結舌片６３は、収納時にカブセ蓋６の内部にその半分以上が収納され、カブセ蓋６の先端方向に延長可能であり、左右幅が延長蓋６４の左右幅よりも狭く、基部６３ａの左右の両側のそれぞれに、伸縮ベルト体６２を貫通させてガイドする筒状のガイド部６３ｂを２つ備え、連結舌片６３の先端には、主収納室２の底壁部の係止受具に脱着可能な係止具８が備えられている。なお、連結舌片６３の係止具８を含めたその一部は、カブセ蓋６に収納されることがなく、カブセ蓋６から突出した構造となっている。連結舌片６３は、図示しないガイドによって、その動きが、カブセ蓋６の長手方向の摺動に限定されている。
【００３１】
伸縮ベルト体６２は、第２のダイヤル式巻き上げ機構６１から、カブセ蓋６の左側の筒状のガイド部６ｂ、延長蓋６４の左側の筒状のガイド部６４ｂ、連結舌片６３の左側の筒状のガイド部６３ｂ、延長蓋６４の中央側の筒状のガイド部６４ｂ、連結舌片６３の右側の筒状のガイド部６３ｂ、延長蓋６４の右側の筒状のガイド部６４ｂ、カブセ蓋６の右側の筒状のガイド部６ｂをとおり、第２のダイヤル式巻き上げ機構６１に戻るループ形状を形成している。
【００３２】
カブセ蓋６が、主収納室２と副収納室３と前ポケット部４を前方下方向に覆い、係止具８を主収納室２の底壁部の係止受具に係止させることにより、ランドセルＲは、カブセ蓋６によって開口部２１，３１が塞がれる。第２のダイヤル式巻き上げ機構６１のダイヤル６１ａを巻き上げる方向に回転させると、伸縮ベルト体６２が形成しているループ形状の周長が短くなり、筒状のガイド部６４ｂが第２のダイヤル式巻き上げ機構６１側（基部側）に移動するとともに延長蓋６４も同じ側に移動し、筒状のガイド部６３ｂが第２のダイヤル式巻き上げ機構６１側（基部側）に移動するとともに連結舌片６３も同じ側に移動し、カブセ蓋６の長さが短くなる。これにより、主収納室２及び副収納室３とカブセ蓋６との間に、隙間が生じている場合であっても、ダイヤル式巻き上げ機構６１を巻き上げ、カブセ蓋６の長さを短くすることにより、その隙間をなくし、副収納室３を緊締することができる。
【００３３】
延長蓋６４と連結舌片６３は、互いにその移動が制限されることがないため、カブセ蓋６に対して、それぞれ独立して移動することができる。つまり、連結舌片６３をカブセ蓋６に対して動かないように手で押さえて、第２のダイヤル式巻き上げ機構６１のダイヤル６１ａを巻き上げると、延長蓋６４のみがダイヤル式巻き上げ機構６１側（基部側）に移動する。一方、延長蓋６４をカブセ蓋６に対して動かないように手で押さえて、ダイヤル６１ａを巻き上げると、連結舌片６３のみがダイヤル式巻き上げ機構６１側に移動するようになっている。
【００３４】
第２のダイヤル式巻き上げ機構６１は、先に述べた第１のダイヤル式巻き上げ機構５１同様に、市販品（Boa Closure System、TGFダイヤルシステムなど）を使用することができる。
【００３５】
以上のように構成されたランドセルＲから把握される技術的思想について、以下に記載する。
【００３６】
本考案に係るランドセルＲは、子供が背負う背板１から前側に向かって、主収納室２と副収納室３とが連設して形成され、背板１の上端から主収納室２と副収納室３とを開閉可能に覆うカブセ蓋６が備えられてなるランドセルにおいて、主収納室２の左右の両側から副収納室３の前側に亘って、緊締ベルト体５を備え、緊締ベルト体５に、緊締ベルト体５の長さを調節可能にする第１のダイヤル式巻き上げ機構５１が備えられている。
【００３７】
本考案に係るランドセルＲによれば、主収納室２の左右の両側から副収納室３の前側に亘って、緊締ベルト体５を備えているため、緊締ベルト体５を第１のダイヤル式巻き上げ機構５１によって巻き上げることにより、簡単に、副収納室３のマチ幅を狭い方向に調整することができる。このため、副収納室３のマチ幅を狭めることにより、副収納室３に収納された被収納物が放出されることを防止することができる。副収納室３のマチ幅を拡げるには、第１のダイヤル式巻き上げ機構５１のロックを外して緊締ベルト体５をゆるめる。なお、第１のダイヤル式巻き上げ機構５１は、緊締ベルト体５を連続的に巻き上げることが可能であるため、従来の緊締ベルト体の留金具の留孔のピッチごとの巻き上げ調整とは異なり、細かい調整の緊締が可能となる。
【００３８】
また、カブセ蓋６の自由端部に、カブセ蓋６の長手方向に摺動可能な連結舌片６３が備えられ、連結舌片６３の先端に、主収納室２の底壁部に脱着可能な係止具８が備えられ、連結舌片６３は、カブセ蓋６の長手方向に長さ調整が可能な伸縮ベルト体６２を介して、カブセ蓋６に連結され、伸縮ベルト体６２に、伸縮ベルト体６２の長さを調節可能にする第２のダイヤル式巻き上げ機構６１が備えられている。
【００３９】
これによれば、連結舌片６３がカブセ蓋６の長手方向に摺動可能に伸縮ベルト体６２を介して備えられ、伸縮ベルト体６２がその長さを第２のダイヤル式巻き上げ機構６１によって調整可能であるため、カブセ蓋６の長さである背板１上端から係止板８２までの長さを調整することができる。伸縮ベルト体６２は、操作が容易なダイヤル式巻き上げ機構６１によってその長さを容易に調整することができるため、カブセ蓋６の長さを容易に短く調整することができ、カブセ蓋６のあそびを少なくすることができる。このため、副収納室３に収納された被収納物がランドセルＲから放出されることを防止することができる。カブセ蓋６の長さを伸ばすときは、第２のダイヤル式巻き上げ機構６１のロックを外して、連結舌片６３を引っ張ることによって、伸ばすことができる。
【００４０】
また、カブセ蓋６が、カブセ蓋６の内部から先端方向に突出可能な延長蓋６４と、カブセ蓋６から先端方向に延長可能な略Ｏ字状の連結舌片６３と、カブセ蓋６の略中央部に配置（連結）された第２のダイヤル式巻き上げ機構６１と、を備え、延長蓋６４は、収納時にカブセ蓋６の内部にその全体が収納され、カブセ蓋６の先端方向に突出可能であり、基部６４ａの左右の両側のそれぞれと中央側に、伸縮ベルト体６２を貫通させてガイドする筒状のガイド部６４ｂを３つ備え、連結舌片６３は、収納時にカブセ蓋６の内部にその半分以上が収納され、カブセ蓋６の先端方向に延長可能であり、基部６３ａの左右の両側のそれぞれに、伸縮ベルト体６２を貫通させてガイドする筒状のガイド部６３ｂを２つ備え、第２のダイヤル式巻き上げ機構６１から延設された伸縮ベルト体６２が、第２のダイヤル式巻き上げ機構６１から、カブセ蓋６の左側に固定された筒状のガイド部６ｂ、延長蓋６４の左側の筒状のガイド部６４ｂ、連結舌片６３の左側の筒状のガイド部６３ｂ、延長蓋６４の中央側の筒状のガイド部６４ｂ、連結舌片６３の右側の筒状のガイド部６３ｂ、延長蓋６４の右側の筒状のガイド部６４ｂ、カブセ蓋６の右側に固定された筒状のガイド部６ｂをとおり、第２のダイヤル式巻き上げ機構６１に戻るループ形状を形成している。
【００４１】
これによれば、第２のダイヤル式巻き上げ機構６１のダイヤル６１ａを巻き上げにより、延長蓋６４が第２のダイヤル式巻き上げ機構６１側（基部側）に移動し、連結舌片６３も第２のダイヤル式巻き上げ機構６１側に移動し、カブセ蓋６の長さを短くすることができるため、副収納室３に収納された被収納物がランドセルＲから放出されることを防止することができる。
【００４２】
また、緊締ベルト体５は、主収納室２の左右の側壁に締結ギボシ５４によって止め付けられ、主収納室２の左右の両側から記副収納室３の左右端部の前側にかけて帯状ベルト体５２から構成され、副収納室３の左右端部の前側から第１のダイヤル式巻き上げ機構５１にかけて細いワイヤー状ベルト体５３から構成されている。
【００４３】
これによれば、緊締時に、帯状ベルト体５２によって、副収納室３を緊締する力が分散され、副収納室３への応力を小さくすることができるため、副収納室３の変形を防ぐことができる。また、ダイヤル式巻き上げ機構５１にかけての緊締ベルト体５が、細いワイヤー状ベルト体５３であるため、ダイヤル式巻き上げ機構５１を小型化することができ、第１のダイヤル式巻き上げ機構５１周辺の緊締ベルト体５（ワイヤー状ベルト体５３）のねじれ（キンク）を防ぐことができる。
【００４４】
実施形態のランドセルＲは、以下のような形態であっても実施することができる。
【００４５】
実施形態のランドセルＲでは、副収納室３の最大限に伸ばしたときのマチ幅を８ｃｍとしたが、５〜１０ｃｍとしても良い。これによれば、副収納室３に様々な大きさの被収納物を収納させることができる。
【００４６】
実施形態のランドセルＲでは、副収納室３が１つ設けられた形態としたが、前後方向に２〜３つ設けられた形態としても良い。これによれば、副収納室３に、複数の被収納物を収納させることができる。
【００４７】
実施形態のランドセルＲでは、ダイヤル式巻き上げ機構５１のダイヤル５１ａの直径を４０ｍｍとしたが、直径２５〜５０ｍｍとしても良い。これによれば、使用者である子供でも、容易にダイヤル式巻き上げ機構５１を操作することができる。
【００４８】
また、実施形態のランドセルＲでは、副収納室３の前壁部の上端部を内側（後方）に傾斜させても良い。これによれば、副収納室３の開口部３１の幅を、マチ幅（緊締させた幅）よりも狭くすることができ、副収納室３に収納された被収納物が放出されることをより防止することができる。
【符号の説明】
【００４９】
１…背板、２…主収納室、３…副収納室、４…前ポケット部、５…緊締ベルト体、６…カブセ蓋、６ｂ…筒状のガイド部、６ｃ…表シート、６ｄ…裏シート、８…係止具、２１…開口部、３１…開口部、３２…マチ部、５１…第１のダイヤル式巻き上げ機構、５１ａ…ダイヤル、５１ｂ…本体、５２…帯状ベルト体、５３…ワイヤー状ベルト体、５４…締結ギボシ、６１…第２のダイヤル式巻き上げ機構、６１ａ…ダイヤル、６１ｂ…本体、６２…伸縮ベルト体、６３…連結舌片、６３ａ…基部、６３ｂ…筒状のガイド部、６４…延長蓋、６４ａ…基部、６４ｂ…筒状のガイド部、Ｒ…ランドセル。
【図１】
0003217756.tif 000003
【図２】
0003217756.tif 000004
【図３】
0003217756.tif 000005
【図４】
0003217756.tif 000006